(57)【要約】【課題】高度暗号化携帯式記憶媒体の提供する。【解決手段】記憶媒体１は、生物的特徴比較照合エンジン１１１を備えたマイクロプロセッサー、該マイクロプロセッサーとセンサー伝送インターフェース１１３で接続されたセンサー１２及びメモリー伝送インターフェース１１４で接続されたメモリー１３、及び主端末に対するデータ伝送インターフェース１１２からなり、該メモリーは自動実行及び主端末に常駐可能な暗号化プログラムを保存してなり、記憶媒体が主端末に接続時、マイクロプロセッサーは使用者にセンサーに生物的特徴の入力を要求すると共に、使用者が入力した生物的特徴とメモリーが保存する生物的特徴を比較し、等しいと照合された後、主端末のメモリー内のデータ及びファイルにアクセス開始を可能にし、主端末からアクセス時、主端末に常駐の暗号化プログラムを利用してデータ及びファイルを複合化する。【選択図】図１
0003118161.tif 000002
【実用新案登録請求の範囲】
【請求項１】
記憶媒体１は、
生物的特徴比較照合エンジンを備えたマイクロプロセッサー、該マイクロプロセッサーとセンサー伝送インターフェースで接続されたセンサー及びメモリー伝送インターフェースで接続されたメモリー、及び主端末に対するデータ伝送インターフェースからなり、
該メモリーは自動実行及び主端末に常駐可能な暗号化プログラムを保存してなり、
記憶媒体が主端末に接続時、マイクロプロセッサーは使用者にセンサーに生物的特徴の入力を要求すると共に、使用者が入力した生物的特徴とメモリーが保存する生物的特徴を比較し、等しいと照合された後、主端末のメモリー内のデータ及びファイルにアクセス開始を可能にし、主端末からアクセス時、主端末に常駐の暗号化プログラムを利用してデータ及びファイルを複合化することを特徴とした、
高度暗号化携帯式記憶媒体。
【請求項２】
前記の生物的特徴は使用者の指紋及び顔の形をもってなることを特徴とした、請求項１に記載の高度暗号化携帯式記憶媒体。
【請求項３】
前記のメモリーはアプリケーションプログラム領域とデータ保存領域に分割可能であると共に、アプリケーションプログラム領域内に暗号化プログラムを保存してなることを特徴とした、請求項１に記載の高度暗号化携帯式記憶媒体。
【考案の詳細な説明】
【技術分野】
【０００１】
本考案は、使用者の生物的特徴を記憶媒体のパスワードとすると共に、データ及びファイルに対し暗号化プログラムにより暗号化／複合化を実施してなる携帯式記憶媒体を提供する。
【背景技術】
【０００２】
コンピューター情報技術の急速な進歩に従い、20世紀末に人類はまた一つの科学技術革命を経て、人々はいつでもどこでもコンピューターを使用し、コンピューターに頼り、重要なデータやファイルの大部分はパソコンを利用し保存及び使用しており、一般的に使用者は重要なデータやファイルのセキュリティ対策としてパスワードを設定しているが、科学技術の絶え間ない進歩と共に、ハッカーが使用する方法も絶え間なく進歩し、単純なパスワードの設定だけでは、既にデータ及びファイルの安全性を保障する効果を成さず、使用者のパスワードが解読されなくとも、特殊な手段を用いて直接に記憶装置からデータ及びファイルを取得されることがあり、又、使用者がパスワードを忘れた場合にも、非常に面倒な状況に陥ってしまうのである。
【０００３】
コンピューターの発展は、機能を強化し、高速化及び小型化の方向へ邁進し、パソコンが周辺機器と接続する通信ポート数及び記憶装置（メモリー記憶装置、ＨＤＤ、光ＤＩＳＫ等）の数量も減少しているが、ネットワーク接続ポート数が減少する状況下では、外付けハードウェアのハブの利用が拡大し、間接的にはメモリーカード、メモリースティック及び外付けハードディスクの使用が一般化し、使用者はパソコンおよびＰＤＡ（Ｐｅｒｓｏｎａｌ  Ｄｉｇｉｔａｌ  Ａｓｓｉｓｔａｎｔ）内のデータをメモリーカード内に保存でき、又パソコン及びＰＤＡを使用してメモリーカード内の保存データを読み取ることができ、この種の電子機器もやはり軽量、極薄、短小化の発展を成し、小型化の進む中で使用者は非常に紛失し易く、他人に保存データを取得される可能性があり、そのデータが非常に重要であれば、使用者に莫大な損害を負わせることになる。
【０００４】
現在、生物的識別方法は、従来のパスワードにより保護する方式に取って代わりつつある。生物的判別とは、その原理に人間の生物的特徴を使用し、例えば、顔の形、指紋等の特徴によって使用者個々人を識別するものであり、各人の生物的特徴はそれぞれ異なり偽造できないものである為、生物的特徴を利用しデータ及びファイルのアクセス権限を与えることは、より安全な方法であると言えるが、この種の方法にも、前述の問題があり、データは特殊な方法で直接記憶装置から取り出され、或いは、データ転送時に盗み取られ、重要なデータ及びファイルの外部への流出が起こりうるのである。
【０００５】
【特許文献１】特開２００２-６４６２１号公報
【考案の開示】
【考案が解決しようとする課題】
【０００６】
上述の公知技術の問題を解決する為、本考案は、個人の異なる生物的特徴を利用し記憶媒体のパスワードとすると共に、データ及びファイルに対し暗号化プログラムで暗号化及び複合化を実施し、記憶媒体にあるメモリー内のデータ及びファイルを直接取得されることを防ぎ、記憶媒体が保存するデータ及びファイルの安全性を向上させることを目的とする。
【課題を解決するための手段】
【０００７】
上述の目的を達成するため、本考案の携帯式記憶媒体は、特徴として、マイクロプロセッサー、センサー、メモリーから構成され、該マイクロプロセッサーは生物的特徴比較照合エンジンを設けてなると共に、データ伝送インターフェイス、センサー伝送インターフェイス及びメモリー伝送インターフェイスと接続してなり、該データ伝送インターフェイスは主端末に接続可能とし、該センサーはマイクロプロセッサーが設けるセンサー伝送インターフェイスと接続すると共に、使用者に生物的特徴映像を入力させてなり、該メモリーはマイクロプロセッサーが設けるメモリー伝送インターフェイスと接続すると共に、自動実行及び主端末へ常駐可能な暗号化プログラムを設けてなる。
【考案の効果】
【０００８】
本考案はマイクロプロセッサー１１を利用し使用者にセンサー１２に生物的特徴の入力を要求し、生物的特徴比較照合エンジン１１１を通して受信した生物的特徴と携帯式記憶媒体１が保存する生物的特徴が等しいかを判別し、等しい場合には使用者のデータ及びファイルへのアクセスを可能にし、よって他人に携帯式記憶媒体１が保持するデータ及びファイルを取得されることを防止する。
本考案はデータ伝送インターフェイス１１２を通して主端末２と接続時、主端末２に暗号化プログラムを自動実行させると共に、暗号化プログラムを主端末２へ常駐させ、主端末２がメモリー１３内のデータ及びファイルにアクセスする時に、暗号化プログラムを利用しデータ及びファイルを暗号／複合化し、重要なデータ及びファイルの漏洩を防止し、データ及びファイルの安全性を向上させる。
【考案を実施するための最良の形態】
【０００９】
上述の目的及び効果を達成する為、本考案が採用する目的、技術構造の特徴及びその効果を、以下、図に示す実施例に従い其の特徴と作用を詳細に説明する。
本考案の工程図である図１に示すように、高度暗号化携帯式記憶媒体１はマイクロプロセッサー１１、センサー１２及びメモリー１３より構成され、
【００１０】
該マイクロプロセッサー１１は、生物的特徴比較照合エンジン１１１を設けると共に、データ伝送インターフェイス１１２及びセンサー伝送インターフェイス１１３及びメモリー伝送インターフェイス１１４と接続する。
【００１１】
該センサー１２は、マイクロプロセッサー１１に対するセンサー伝送インターフェイス１１３と接続し、使用者は使用者の指紋や顔の形を生物的特徴の情報として入力することができる。
【００１２】
該メモリー１３は、マイクロプロセッサー１１に対するメモリー伝送インターフェイス１１４と接続すると共に、自動実行及び朱端末に常駐させることが可能な暗号化プログラムを保存してなり、該主端末２はデスクトップパソコン、ノートパソコン及びＰＤＡにてなることが可能である。
【００１３】
例えば携帯式記憶媒体１に対するデータ伝送インターフェイス１１２が主端末２に接続する時には、主端末２は暗号化プログラムを自動実行すると共に、主端末２に常駐させ、使用者が記憶媒体１が保持するデータ及びファイルを読み取ろうとする時、マイクロプロセッサー１１は使用者にセンサー１２に生物的特徴を入力するように要求し、使用者が生物的特徴を入力した後、マイクロプロセッサー１１はセンサー１２が受信した生物的特徴を主端末２へ転送して映像を再編し、再編後の映像と記憶媒体１が保持する生物的特徴と比べ、両者の生物的特徴が生物的特徴比較照合エンジン１１１の比較にて等しい場合は、主端末２はメモリー１３内のデータ及びファイルにアクセスを開始でき、主端末２がメモリー１３内のデータ及びファイルを読み取るとき、該暗号化プログラムはデータ及びファイルに対して複合化し、再度マイクロプロセッサー１１を通して主端末２に転送し、主端末２がデータ及びファイルを書き込もうとする時は、暗号化プログラムにて書き込みのデータ及びファイルを暗号化してメモリー１３内に再保存する。
【００１４】
もう一つの例としては、使用者はセンサー１２から生物的特徴を入力した後、該携帯式記憶媒体１はマイクロプロセッサー１１を使用してセンサー１２が受信する生物的特徴の映像を再編し、再編した映像とメモリー１３が保持する生物的特徴と比べ、両者の生物的特徴が等しい時、主端末２はメモリー１３が保存するデータ及びファイルへのアクセスを開始可能にする方式で、その後のアクセス方式は上述の例と同等である。
【００１５】
上記により、他人が携帯式記憶媒体１内のデータ及びファイルを盗み取ろうとしても、使用者の生物的特徴を備え持つことはできず、特殊な手段によりメモリー１３内の保存データを直接取り出そうとしても、メモリー１３内の保存するデータ及びファイルを複合化することができず、このように重要なデータやファイルの漏洩を効果的に防止し、データ及びファイルの安全性を向上させる。  使用者の生物的特徴の内容は主端末２内及び携帯式記憶媒体１が設けるメモリー１３内に保存可能であり、携帯式記憶媒体１はメモリースティック（登録商標）、メモリーカード及びハードディスクにてなることができる。
【００１６】
図２に示すように、本考案の設ける高度暗号化携帯式記憶媒体を使用時には、下記のステップを実行する。
２００.携帯式記憶媒体１が設けるデータ伝送インターフェイス１１２と主端末を接    続
２０１.主端末２は暗号化プログラムを自動実行すると共に、暗号化プログラムを主    端末２に常駐させる
２０２.センサー１２を起動すると共に、使用者に生物的特徴の入力を要求
２０３.センサー１２は生物的特徴を取得すると共に、センサー伝送インターフェイ    ス１１３を通してマイクロプロセッサー１１へ転送
２０４.マイクロプロセッサー１１は生物的特徴比較照合エンジン１１１を利用し受    信した生物的特徴と携帯式記憶媒体１に保存の生物的特徴が等しいかを判別し、    等しい場合はステップ２０５へ、不等な場合はステップ２０２へ進行
２０５.携帯式記憶媒体１は起動を開始
２０６.主端末２はメモリー１３内のデータ及びファイルにアクセスの有無を確認し    、アクセスする場合はステップ２０７へ、しない場合はステップ２０５へ進行
２０７.主端末２に常駐の暗号化プログラムはデータ及びファイルに対し暗号化／複    合化を実施
２０８.終了
【００１７】
図３に示すように、該携帯式記憶媒体１が設けるメモリー１３は、アプリケーションプログラム領域１３１とデータ保存領域１３２に分割してなり、アプリケーションプログラム領域１３１内には暗号化プログラムが保存され、ＩＳＯ９６６０データ規格に準拠し、例えばアプリケーションプログラム領域１３１は、自動再生式ＣＤデータ形態として判定されてなることでき、主端末２にアプリケーションプログラム領域１３１をＣＤ形態として認定させることが可能であり、更に、データ保存領域１３２はデータ及びファイルの保存を可能とし、ＦＡＴ（Ｆｉｌｅ  Ａｌｌｏｃａｔｉｏｎ  Ｔａｂｌｅ）形式及びＮＴＦＳ（ＮＴ  Ｆｉｌｅ  Ｓｙｓｔｅｍ）形式にてなることができ、データ伝送インターフェイス１１２が主端末２と接続時に、メモリー１３にアクセスする方式については前述の実施例と同様である。
【００１８】
上述のメモリー１３は、ＥＲＯＭ（Ｅｌｅｃｔｒｉｃａｌｌｙ  Ｐｒｏｇｒａｍｍａｂｌｅ  Ｒｅａｄ  Ｏｎｌｙ  Ｍｅｍｏｒｙ）、ＥＥＲＯＭ（Ｅｌｅｃｔｒｉｃａｌｌｙ  Ｅｒａｓａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリー（Ｆｌａｓｈ  Ｍｅｍｏｒｙ）、ＡＮＤ型フラッシュメモリー（ＡＮＤ−Ｆｌａｓｈ  Ｍｅｍｏｒｙ）、ＮＡＮＤ型フラッシュメモリー（ＮＡＮＤ−Ｆｌａｓｈ  Ｍｅｍｏｒｙ）、及びＮＯＲ型フラッシュメモリー（ＮＯＲ−Ｆｌａｓｈ  Ｍｅｍｏｒｙ）にてなることができ、但し、上記はメモリー１３の推奨される実施形態の構造であるに過ぎず、本考案の範囲を上記に限定することなく、又暗号化プログラムの暗号化方式は、ＡＥＳ（Ａｄｖａｎｃｅｄ  Ｅｎｃｒｙｐｔｉｏｎ  Ｓｔａｎｄａｒｄ）、ＤＥＳ（Ｄａｔａ  Ｅｎｃｒｙｐｔｉｏｎ  Ｓｔａｎｄａｒｄ）、ＲＳＡ暗号方式（Ｒｉｖｅｓｔ  Ｓｈａｍｉｒ  Ａｄｌｅｍａｎ  Ｅｎｃｒｙｐｔｉｏｎ）及びＴＤＥＡ（Ｔｒｉｐｌｅ  Ｄａｔａ  Ｅｎｃｒｙｐｔｉｏｎ  Ａｌｇｏｒｉｔｈｍ）にてなり、メモリー１３のデータ及びファイルに対する暗号／複合が使用する演算方式は、本考案の範囲を上記に限定することなく類似の形態も本考案の範囲とする。
【００１９】
更に上記のデータ伝送インターフェイス１１２は、ＵＳＢ（Ｕｎｉｖｅｒｓａｌ  Ｓｅｒｉａｌ  Ｂｕｓ）、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）にてなることが可能であり、センサー伝送インターフェイス１１３は、パラレル及びシリアルインターフェイスにてなることが可能であり、メモリー伝送インターフェイス１１４は、フラッシュメモリーインターフェイス及びハードドライブ伝送インターフェイスにてなることが可能である。
【００２０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２１】
【図１】本考案の工程図である。
【図２】本考案のフロー図である。
【図３】本考案の実例工程図である。
【符号の説明】
【００２２】
１ 携帯式記憶媒体
１１マイクロプロセッサー
１１１ 生物的特徴比較照合エンジン
１１２ データ伝送インターフェイス
１１３ センサー伝送インターフェイス
１１４ メモリー伝送インターフェイス
１２   センサー
１３   メモリー
１３１ アプリケーション領域
１３２ データ保存領域
２     主端末
【図１】
0003118161.tif 000003
【図２】
0003118161.tif 000004
【図３】
0003118161.tif 000005